(57)【要約】【課題】  すべて紙製の素材で作製するものの、カレンダーシートをホルダーに取り付ける場合には取り付け易く、取り付けた場合には外れ難くしっかり保持し、取り外す場合には取り外し易いように保持することができるカレンダーを提供する。【解決手段】  複数の卓上カレンダーシートを着脱可能に並列して保持する卓上カレンダーホルダー１１０を提供する。これは、卓上カレンダーシート１２０の一端を保持する第１保持部１１１と、カレンダーシートの一端に対向する他端を保持する第２保持部１１２と、カレンダーシートの取り付け時に、一端が当接する折曲部１１３と、を備え、第１保持部は、カレンダーシートの全幅を差し込める幅を有する差込孔１１１Ｈを有し、第２保持部は、第１保持部の方へ凸状の切込片１１２Ｃを有し、カレンダーシートの一端は、差込孔に差し込まれた状態で保持され、カレンダーシートの他端は、切込片に挟み込まれた状態で保持される。【選択図】図２
0003235587.tif 000002
【実用新案登録請求の範囲】
【請求項１】
複数のカレンダーシートを着脱可能に並列して保持するカレンダーホルダーであって、
前記カレンダーシートの一端を保持する第１保持部と、
前記カレンダーシートの一端に対向する他端を保持する第２保持部と、
前記カレンダーシートの取り付け時に、前記一端が当接する折曲部と、
を備え、
前記第１保持部は、前記カレンダーシートの全幅を差し込める幅を有する差込孔を有し、
前記第２保持部は、前記第１保持部の方へ凸状の切込片を有し、
前記カレンダーシートの一端は、前記差込孔に差し込まれた状態で保持され、
前記カレンダーシートの他端は、前記切込片に挟み込まれた状態で保持される、
カレンダーホルダー。
【請求項２】
前記第１保持部は、前記差込孔の周囲において前記第２保持部の方へ凸状の突出部を有することを特徴とする請求項１に記載のカレンダーホルダー。
【請求項３】
前記折曲部と前記切込片の距離は、前記カレンダーシートの一端から他端までの距離より長いことを特徴とする請求項１または２に記載のカレンダーホルダー。
【請求項４】
使用しない前記カレンダーシートを収納する収納部を備えることを特徴とする請求項１乃至３のいずれかに記載のカレンダーホルダー。
【請求項５】
請求項１乃至４のいずれかに記載のカレンダーホルダーと前記カレンダーシートを備えるカレンダー。
【考案の詳細な説明】
【技術分野】
【０００１】
本考案は、カレンダーホルダーおよびカレンダーに関する。
【背景技術】
【０００２】
従来から、複数の月を一度に表示し、使い勝手の向上を図ったカレンダーが知られている。たとえば、特許文献１は、カレンダー用紙をめくる必要がない使い勝手の向上を図ったカレンダーを開示する。このカレンダーは、基板と、暦が表示された複数のシート部材を備え、複数のシート部材のうち少なくとも２枚が、基板上に並べられて、基板に係脱自在に係止されている。基板は、係止部を有し、複数のシート部材は、それぞれ、係止部に係止される係止孔を有する。また基板は、各シート部材を係止する分割板を複数備え、互いに隣接する分割板間には、分割板同士を連結する連結部が設けられている。
【先行技術文献】
【特許文献】
【０００３】
【特許文献１】実用新案登録第３１９０４３１号公報
【考案の概要】
【考案が解決しようとする課題】
【０００４】
しかし、上記の従来技術では、カレンダー用紙を手荒く扱うとプラスチック等で作製された係止部により係止孔が傷ついてしまう恐れがあった。また、係止部は、基板から突出して嵩張るため、カレンダーの輸送コストや保管コストが高くなってしまう。また、カレンダー用紙は係止部からぶら下がった状態なので、風などで用紙がめくれたり、揺れたりすることがあった。また、使用月ではないリフィル用のカレンダー用紙を他の場所に保管する必要があった。さらに、係止部や連結部は、プラスチックや金属で作製されており、環境に好ましくない場合があった。
【０００５】
そこで、本考案は、上記事情を鑑みて考案されたものであり、環境を配慮してすべて紙製の素材で作製するため、分別の手間や製造コストを低減できると共に、突出する部分がないので嵩張らず輸送コストや保管コストを低減することができるホルダーおよびそのホルダーを備えるカレンダーを提供するものである。また、このホルダーは、すべて紙製の素材で作製するものの、カレンダー用紙（カレンダーシート）をホルダーに取り付ける場合には取り付け易く、取り付けた場合には外れ難くしっかり保持し、取り外す場合には取り外し易いように保持することができる。さらに、このホルダーは、リフィル用のカレンダーシートを他の場所に保管する必要もない。
【課題を解決するための手段】
【０００６】
上記課題を解決するために、複数のカレンダーシートを着脱可能に並列して保持するカレンダーホルダーであって、カレンダーシートの一端を保持する第１保持部と、カレンダーシートの一端に対向する他端を保持する第２保持部と、カレンダーシートの取り付け時に、一端が当接する折曲部と、を備え、第１保持部は、カレンダーシートの全幅を差し込める幅を有する差込孔を有し、第２保持部は、第１保持部の方へ凸状の切込片を有し、カレンダーシートの一端は、差込孔に差し込まれた状態で保持され、カレンダーシートの他端は、切込片に挟み込まれた状態で保持される、カレンダーホルダーが提供される。
これによれば、カレンダーシートをカレンダーホルダーに取り付ける際、差込孔を通ったカレンダーシートの一端が当接する折曲部があることで、カレンダーシートを手前に湾曲させて切込片に挟み込み易くなり、取り付けた場合にはカレンダーシートの両端を差込孔と切込片で保持することでしっかり保持でき、取り外す場合にはカレンダーシートを手前に湾曲させることで簡単に取り外すことができるカレンダーホルダーを提供することができる。
【０００７】
さらに、第１保持部は、差込孔の周囲において第２保持部の方へ凸状の突出部を有することを特徴としてもよい。
これによれば、差込孔の周囲に突出部を有することで、突出部がカレンダーシートを押さえつけることができ、これにより取り付けた場合には外れ難くすることができる。
【０００８】
さらに、折曲部と切込片の距離は、カレンダーシートの一端から他端までの距離より長いことを特徴としてもよい。
これによれば、折曲部と切込片の最短距離がカレンダーシートの一端から他端までの距離より長いことで、カレンダーシートがカレンダーホルダー上でずれても外れ難くなる。
【０００９】
さらに、使用しないカレンダーシートを収納する収納部を備えることを特徴としてもよい。
これによれば、収納部を備えることで、リフィル用のカレンダーシートを他の場所に保管する必要がない。
【００１０】
上記課題を解決するために、上記のカレンダーホルダーとカレンダーシートを備えるカレンダーが提供される。
これによれば、カレンダーシートをカレンダーホルダーに取り付ける際、差込孔を通ったカレンダーシートの一端が当接する折曲部があることで、カレンダーシートを手前に湾曲させて切込片に挟み込み易くなり、取り付けた場合にはカレンダーシートの両端を差込孔と切込片で保持することでしっかり保持でき、取り外す場合にはカレンダーシートを手前に湾曲させることで簡単に取り外すことができるカレンダーホルダーを備えるカレンダーを提供することができる。
【考案の効果】
【００１１】
以上説明したように、本考案によれば、環境を配慮してすべて紙製の素材で作製するため、分別の手間や製造コストを低減できると共に、突出する部分がないので嵩張らず輸送コストや保管コストを低減することができるホルダーおよびそのホルダーを備えるカレンダーを提供することができる。また、このホルダーは、すべて紙製の素材で作製するものの、カレンダー用紙（カレンダーシート）をホルダーに取り付ける場合には取り付け易く、取り付けた場合には外れ難くしっかり保持し、取り外す場合には取り外し易いように保持することができる。さらに、このホルダーは、リフィル用のカレンダーシートを他の場所に保管する必要がないカレンダーを提供することができる。
【図面の簡単な説明】
【００１２】
【図１】本考案に係る第一実施形態の卓上カレンダーの平面展開図。
【図２】本考案に係る第一実施形態の卓上カレンダーの組み立て時の、（Ａ）正面図、（Ｂ）平面図、（Ｃ）底面図、（Ｄ）背面図、（Ｅ）右側面図。
【図３】本考案に係る第一実施形態の卓上カレンダーの組み立て時の斜視図（正面側）。
【図４】本考案に係る第一実施形態の卓上カレンダーの組み立て時の斜視図（背面側）。
【図５】本考案に係る第一実施形態の卓上カレンダーにカレンダーシートを取り付ける場合を示す図とその拡大図。
【図６】本考案に係る第一実施形態の卓上カレンダーからカレンダーシートを取り外す場合を示す図。
【図７】本考案に係る第二実施形態の壁掛カレンダーの平面展開図。
【図８】本考案に係る第二実施形態の壁掛カレンダーの組み立て時の、（Ａ）正面図、（Ｂ）底面図、（Ｃ）背面図、（Ｄ）右側面図、（Ｅ）左側面図。
【図９】本考案に係る第二実施形態の壁掛カレンダーの組み立て時の斜視図（左前から）。
【図１０】本考案に係る第二実施形態の壁掛カレンダーの組み立て時の斜視図（右前から）。
【図１１】本考案に係る第二実施形態の壁掛カレンダーにカレンダーシートを取り付ける場合を示す図とその拡大図。
【考案を実施するための形態】
【００１３】
以下では、図面を参照しながら、本考案に係る実施形態について説明する。
＜第一実施形態＞
図１〜図６を参照し、本実施形態における卓上カレンダー１００を説明する。卓上カレンダー１００は、卓上カレンダーホルダー１１０と、卓上カレンダーホルダー１１０に支持される卓上カレンダーシート１２０を備える。卓上カレンダーシート１２０は、１月に１枚のシートで構成され、たとえば２０２２年のカレンダーであれば、２０２１年１２月のカレンダーシートから２０２３年１月のカレンダーシートまでの合計１４枚のカレンダーシートから構成されてもよい。また、卓上カレンダーシート１２０は、本実施例ではほぼ正方形の矩形であるが、これに限定されず、後述する卓上カレンダーホルダー１１０に適合する限り、他の多角形や円形、楕円形であってもよい。
【００１４】
卓上カレンダーホルダー１１０は、図１に示すように１枚の台紙を型抜きして製造され、卓上カレンダー１００の利用者により図２等に示すように立体に組み立てられることで利用される。卓上カレンダーホルダー１１０は、組み立てられた際に卓上カレンダーシート１２０を支持する正面部１１Ｆと、正面部１１Ｆとほぼ同形同大の背面部１１Ｂと、正面部１１Ｆおよび背面部１１Ｂに比べると幅が狭く台紙の両端に分離して形成された底面部１１Ｔと、から構成され、利用時には底面部１１Ｔを下にして三角柱を横に倒したような外形となる。
【００１５】
正面部１１Ｆには、利用時に上側（正面部１１Ｆと背面部１１Ｂの間の稜線１１Ｒ側）となる第１保持部１１１と、第１保持部１１１に対応した下側（底面部１１Ｔ側）に第２保持部１１２と、が対向して形成され、これを１組として、正面部１１Ｆには合計３組が横に並列して形成されている。この組の数や並びはこれに限定されず、２組や４組であってもよいし、縦に並ぶものがあってもよい。
【００１６】
背面部１１Ｂには、やや稜線１１Ｒよりに収納孔１１４Ｈが形成されており、利用時にはそこから使用していない卓上カレンダーシート１２Ｒを差し込み（図４）、組み立て時には図２（Ｅ）の一点鎖線に示すように三角柱の内部空間を利用して、使用していない卓上カレンダーシート１２Ｒを収納する収納部１１４が構成される。このように、収納部１１４を備えることで、リフィル用のカレンダーシートを他の場所に保管する必要がない。
【００１７】
底面部１１Ｔには、一方の端部に底部係合片１１５Ｐと、他方の中央辺りに底部係合孔１１５Ｈと、が形成され、組み立て時に底部係合孔１１５Ｈに底部係合片１１５Ｐを差し込んで両者を係合することで、三角柱の卓上カレンダーホルダー１１０が完成する。
【００１８】
正面部１１Ｆの第１保持部１１１は、卓上カレンダーシート１２０の横幅の全幅を差し込める幅を有する差込孔１１１Ｈを有し、差込孔１１１Ｈに卓上カレンダーシートの上端１２１が差し込まれることでその一端を保持する（図３）。また、正面部１１Ｆの第２保持部１１２は、第１保持部１１１の方へ凸状の切込片１１２Ｃと、切込片１１２Ｃの凸状の周りに形成された切込孔１１２Ｈと、を有し、卓上カレンダーシート１２０の上端１２１に対向する下端１２２が切込片１１２Ｃと正面部１１Ｆの台紙で挟み込まれることでその他端を保持する（同図）。なお、切込孔１１２Ｈが、切込片１１２Ｃの周りに形成されることで卓上カレンダーシート１２０を挟み込み易くなる。
【００１９】
また、第１保持部１１１は、差込孔１１１Ｈの稜線１１Ｒ側の周囲において第２保持部１１２の方へ凸状の突出部１１１Ｐを有する。このように、差込孔１１１Ｈの周囲に突出部１１１Ｐを有することで、突出部１１１Ｐが卓上カレンダーシート１２０を押さえつけることができ、これにより取り付けた場合には外れ難くすることができる。
【００２０】
卓上カレンダーホルダー１１０は、卓上カレンダーシート１２０の取り付け時に、卓上カレンダーシートの上端１２１が当接する折曲部１１３をさらに備える。折曲部１１３は、利用者が正面部１１Ｆと背面部１１Ｂの間を折り曲げることで稜線１１Ｒの裏側に形成される。卓上カレンダーシート１２０を正面部１１Ｆに取り付ける際には、図５（Ａ）に示すように、まず卓上カレンダーシート１２０の上端１２１を差込孔１１１Ｈに差し込む（本図の矢印Ｉ）。差込孔１１１Ｈに差し込まれた卓上カレンダーシート１２０の上端１２１は、折曲部１１３に突き当たるように当接する。そうすると、当接することで卓上カレンダーシート１２０が図５（Ｂ）に示すように手前に湾曲するように撓み、これにより、卓上カレンダーシート１２０の下端１２２を切込片１１２Ｃに挟み込み易くなる（本図の矢印ＩＩ）。
【００２１】
このようにして、卓上カレンダーシート１２０の上端１２１は、差込孔１１１Ｈに差し込まれた状態で保持され、卓上カレンダーシート１２０の下端１２２は、切込片１１２Ｃに挟み込まれた状態で保持される。そして、月替わりなどで、卓上カレンダーシート１２０を卓上カレンダーホルダー１１０から取り外す際には、図６に示すように、卓上カレンダーシート１２０の横縁を指などで引き上げて手前に湾曲させることで（本図の矢印Ｉ）、卓上カレンダーシート１２０の上端１２１と下端１２２は、それぞれ差込孔１１１Ｈおよび切込片１１２Ｃから容易に離脱することができ（本図の矢印ＩＩ）、簡単に取り外すことができる。
【００２２】
このように、卓上カレンダーシート１２０を卓上カレンダーホルダー１１０に取り付ける際、差込孔１１１Ｈを通った卓上カレンダーシート１２０の上端１２１が当接する折曲部１１３があることで、卓上カレンダーシート１２０を手前に湾曲させて切込片１１２Ｃに挟み込み易くなり、取り付けた場合には卓上カレンダーシート１２０の上端１２１と下端１２２を差込孔１１１Ｈと切込片１１２Ｃで保持することでしっかり保持でき、取り外す場合には卓上カレンダーシート１２０を手前に湾曲させることで簡単に取り外すことができる卓上カレンダーホルダー１１０およびこれを備える卓上カレンダー１００を提供することができる。
【００２３】
なお、折曲部１１３から凸状の切込片１１２Ｃの最も近い部分までの最短距離は、卓上カレンダーシート１２０の上端１２１から下端１２２までの距離より長いことが好ましい。これによれば、卓上カレンダーシート１２０が卓上カレンダーホルダー１１０に取り付けられている際に上方にずれても外れ難くなる。
【００２４】
＜第二実施形態＞
図７〜図１１を参照し、本実施形態における壁掛カレンダー２００を説明する。壁掛カレンダー２００は、壁掛カレンダーホルダー２１０と、壁掛カレンダーホルダー２１０に支持される壁掛カレンダーシート２２０を備える。壁掛カレンダーシート２２０は、１月に１枚のシートで構成され、たとえば２０２２年のカレンダーであれば、２０２１年１２月のカレンダーシートから２０２３年１月のカレンダーシートまでの合計１４枚のカレンダーシートから構成されてもよい。また、壁掛カレンダーシート２２０は、本実施例では長方形の矩形であるが、これに限定されず、後述する壁掛カレンダーホルダー２１０に適合する限り、他の多角形や円形、楕円形であってもよい。
【００２５】
壁掛カレンダーホルダー２１０は、図７に示すように１枚の台紙を型抜きして製造され、壁掛カレンダー２００の利用者により図８等に示すように組み立てられることで利用される。壁掛カレンダーホルダー２１０は、組み立てられた際に最上段に位置する壁掛カレンダーホルダー上段２１Ｔと、その下に位置する壁掛カレンダーホルダー中段２１Ｃと、最下段に位置する壁掛カレンダーホルダー下段２１Ｂと、から構成され、３つの台紙が縦に並んでいる。
【００２６】
壁掛カレンダーホルダー上段２１Ｔの下部、壁掛カレンダーホルダー中段２１Ｃの上部と下部、壁掛カレンダーホルダー下段２１Ｂの上部と下部には、ホルダー繋ぎ孔２１６が設けられており、ホルダー繋ぎ孔２１６を繋ぎリング２１７が通ることにより、壁掛カレンダーホルダー上段２１Ｔと壁掛カレンダーホルダー中段２１Ｃ、壁掛カレンダーホルダー中段２１Ｃと壁掛カレンダーホルダー下段２１Ｂがそれぞれ繋げられている。なお、壁掛カレンダーホルダー上段２１Ｔの上部には、壁掛孔２１５が設けられており、これにより、壁掛カレンダー２００は壁に掛けられる。
【００２７】
壁掛カレンダーホルダー上段２１Ｔおよび壁掛カレンダーホルダー中段２１Ｃの左端には、折曲片２１３Ｃが設けられており、組み立て時にそれを裏側（紙面奥方向）に折り曲げることにより内側に折曲部２１３が形成される。壁掛カレンダーホルダー下段２１Ｂは、壁掛カレンダーホルダー下段正面２１ＢＴと壁掛カレンダーホルダー下段背面２１ＢＢから構成される。壁掛カレンダーホルダー下段正面２１ＢＴの左端には、折曲片２１３Ｃが設けられており、組み立て時にそれを裏側（紙面奥方向）に折り曲げることにより内側に折曲部２１３が形成される。
【００２８】
壁掛カレンダーホルダー下段背面２１ＢＢは、組み立て時に裏側に折り曲げることにより壁掛カレンダーホルダー下段正面２１ＢＴとの間に空間を作成する。この空間を利用して、使用していない壁掛カレンダーシート２２Ｒを収納する収納部２１４が構成される（図１０）。このように、収納部２１４を備えることで、リフィル用のカレンダーシートを他の場所に保管する必要がない。
【００２９】
壁掛カレンダーホルダー上段２１Ｔ、壁掛カレンダーホルダー中段２１Ｃ、および壁掛カレンダーホルダー下段正面２１ＢＴには、利用時に左側（折曲片２１３Ｃ側）となる第１保持部２１１と、第１保持部２１１に対応した右側に第２保持部２１２と、が対向してそれぞれに１つずつ形成されている。
【００３０】
第１保持部２１１は、壁掛カレンダーシート２２０の縦幅の全幅を差し込める幅を有する差込孔２１１Ｈを有し、差込孔２１１Ｈに壁掛カレンダーシートの左端２２１が差し込まれることでその一端を保持する（図９）。また、第２保持部２１２は、第１保持部２１１の方へ凸状の切込片２１２Ｃと、切込片２１２Ｃの凸状の頂部に形成された切込孔２１２Ｈと、を有し、壁掛カレンダーシート２２０の左端２２１に対向する右端２２２が切込片２１２Ｃと台紙で挟み込まれることでその他端を保持する（同図）。なお、切込孔２１２Ｈが、切込片２１２Ｃの頂部に形成されることで壁掛カレンダーシート２２０を挟み込み易くなる。
【００３１】
また、第１保持部２１１は、差込孔２１１Ｈの折曲片２１３Ｃ側の周囲において第２保持部２１２の方へ凸状の突出部２１１Ｐを有する。このように、差込孔２１１Ｈの周囲に突出部２１１Ｐを有することで、突出部２１１Ｐが壁掛カレンダーシート２２０を押さえつけることができ、これにより取り付けた場合には外れ難くすることができる。
【００３２】
壁掛カレンダーホルダー２１０は、壁掛カレンダーシート２２０の取り付け時に、壁掛カレンダーシートの左端２２１が当接する折曲部２１３を備えている。折曲部２１３は、利用者が折曲片２１３Ｃを裏側に折り曲げることで裏側に形成される。壁掛カレンダーシート２２０を壁掛カレンダーホルダー２１０に取り付ける際には、図１１（Ａ）に示すように、まず壁掛カレンダーシート２２０の左端２２１を差込孔２１１Ｈに差し込む（本図の矢印Ｉ）。差込孔２１１Ｈに差し込まれた壁掛カレンダーシート２２０の左端２２１は、折曲部２１３に突き当たるように当接する。そうすると、当接することで壁掛カレンダーシート２２０が図１１（Ｂ）に示すように手前に湾曲するように撓み、これにより、壁掛カレンダーシート２２０の右端２２２を切込片２１２Ｃに挟み込み易くなる（本図の矢印ＩＩ）。
【００３３】
このようにして、壁掛カレンダーシート２２０の左端２２１は、差込孔２１１Ｈに差し込まれた状態で保持され、壁掛カレンダーシート２２０の右端２２２は、切込片２１２Ｃに挟み込まれた状態で保持される。そして、月替わりなどで、壁掛カレンダーシート２２０を壁掛カレンダーホルダー２１０から取り外す際には、壁掛カレンダーシート２２０の上縁または下縁を指などで引き上げて手前に湾曲させることで、壁掛カレンダーシート２２０の左端２２１と右端２２２は、それぞれ差込孔２１１Ｈおよび切込片２１２Ｃから容易に離脱することができ、簡単に取り外すことができる。
【００３４】
このように、壁掛カレンダーシート２２０を壁掛カレンダーホルダー２１０に取り付ける際、差込孔２１１Ｈを通った壁掛カレンダーシート２２０の左端２２１が当接する折曲部２１３があることで、壁掛カレンダーシート２２０を手前に湾曲させて切込片２１２Ｃに挟み込み易くなり、取り付けた場合には壁掛カレンダーシート２２０の左端２２１と右端２２２を差込孔２１１Ｈと切込片２１２Ｃで保持することでしっかり保持でき、取り外す場合には壁掛カレンダーシート２２０を手前に湾曲させることで簡単に取り外すことができる壁掛カレンダーホルダー２１０およびこれを備える壁掛カレンダー２００を提供することができる。
【００３５】
なお、折曲部２１３から凸状の切込片２１２Ｃの最も近い部分までの最短距離は、壁掛カレンダーシート２２０の左端２２１から右端２２２までの距離より長いことが好ましい。これによれば、壁掛カレンダーシート２２０が壁掛カレンダーホルダー２１０に取り付けられている際に左右方向にずれても外れ難くなる。
【００３６】
なお、本考案は、例示した実施例に限定するものではなく、実用新案登録請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、数量、その他の詳細な構成において、当業者が様々な変形を加えることができるものである。
【符号の説明】
【００３７】
１００    卓上カレンダー
１１０    卓上カレンダーホルダー
１１１    第１保持部
１１１Ｈ  差込孔
１１１Ｐ  突出部
１１２    第２保持部
１１２Ｃ  切込片
１１２Ｈ  切込孔
１１３    折曲部
１１４    収納部
１１４Ｈ  収納孔
１１５Ｈ  底部係合孔
１１５Ｐ  底部係合片
１１Ｆ    卓上カレンダーホルダーの正面部
１１Ｂ    卓上カレンダーホルダーの背面部
１１Ｔ    卓上カレンダーホルダーの底面部
１１Ｒ    稜線
１２０    卓上カレンダーシート
１２１    卓上カレンダーシートの上端（一端）
１２２    卓上カレンダーシートの下端（他端）
１２Ｒ    使用していない卓上カレンダーシート
２００    壁掛カレンダー
２１０    壁掛カレンダーホルダー
２１１    第１保持部
２１１Ｈ  差込孔
２１１Ｐ  突出部
２１２    第２保持部
２１２Ｃ  切込片
２１２Ｈ  切込孔
２１３    折曲部
２１３Ｃ  折曲片
２１４    収納部
２１５    壁掛孔
２１６    ホルダー繋ぎ孔
２１７    繋ぎリング
２２０    壁掛カレンダーシート
２２１    壁掛カレンダーシートの左端（一端）
２２２    壁掛カレンダーシートの右端（他端）
２１Ｔ    壁掛カレンダーホルダー上段
２１Ｃ    壁掛カレンダーホルダー中段
２１Ｂ    壁掛カレンダーホルダー下段
２１ＢＴ  壁掛カレンダーホルダー下段正面
２１ＢＢ  壁掛カレンダーホルダー下段背面
２２Ｒ    使用していない壁掛カレンダーシート
【図１】
0003235587.tif 000003
【図２】
0003235587.tif 000004
【図３】
0003235587.tif 000005
【図４】
0003235587.tif 000006
【図５】
0003235587.tif 000007
【図６】
0003235587.tif 000008
【図７】
0003235587.tif 000009
【図８】
0003235587.tif 000010
【図９】
0003235587.tif 000011
【図１０】
0003235587.tif 000012
【図１１】
0003235587.tif 000013